(57)【特許請求の範囲】
【請求項１】
テキスタイルを形成するように多数のヤーンを織ることによって減衰層を形成する方法であって、前記ヤーンの少なくともいくつかが発泡可能な合成ヤーンであり、
まずヤーンが互いに織られ、その後に、テキスタイルから直立する、発泡された合成ヤーンのループを形成するために、少なくともいくつかの合成ヤーンが発泡され、
各々の場合において、少なくとも１つの発泡されないヤーンが、隣り合った発泡される合成ヤーンの間に配置され、
発泡されない十分なヤーンが、隣り合った発泡された合成ヤーンが発泡後に互いに少しだけ接触するように、前記隣り合った発泡される合成ヤーンの間に配置される、前記方法。
【請求項２】
前記発泡される合成ヤーンが、プラスチックストリップの形態で前記テキスタイルに組み入れられることを特徴とする、請求項１に記載の方法。
【請求項３】
前記発泡される合成ヤーンが、縦糸として、発泡されないヤーンからなる横糸と織り合わされ、各発泡される縦糸が、いくつかの発泡されない横糸を交互に捕えたりとばしたりすることを特徴とする、請求項１又は２に記載の方法。
【請求項４】
各発泡される縦糸が、それがとばす横糸とは異なる数の発泡されない横糸を交互に捕えることを特徴とする、請求項３に記載の方法。
【請求項５】
前記発泡可能な合成ヤーンが、ポリエチレンまたはポリプロピレンからなることを特徴とする、請求項１から４のいずれか一項に記載の方法。
【請求項６】
前記合成ヤーンが、それらを、具体的には少なくとも１００℃、好ましくは少なくとも１５０℃、より好ましくは略２００℃の温度まで加熱することによって発泡されることを特徴とする、請求項１から５のいずれか一項に記載の方法。
【請求項７】
発泡可能な合成ヤーンのいくつかが、他の発泡可能な合成ヤーンとは異なる特性を有することを特徴とする、請求項１から６のいずれか一項に記載の方法。
【請求項８】
多数の互いに織られたヤーンによって形成された織物からなる減衰層であって、前記ヤーンの少なくともいくつかが、テキスタイルから直立するループに形成される発泡された合成ヤーンであり、隣り合った発泡された合成ヤーンの間に発泡されないヤーンが配置され、前記隣り合った発泡された合成ヤーンが少しだけしか互いに接触しない、減衰層。
【請求項９】
前記テキスタイルが、発泡されるプラスチックストリップを備えることを特徴とする、請求項８に記載の減衰層。
【請求項１０】
前記発泡された合成ヤーンが縦糸であり、前記発泡されないヤーンが横糸であり、各発泡される縦糸が、前記テキスタイルの両側にループを形成し、各々の場合において、いくつかの発泡されない横糸が、連続するループの間に配置されることを特徴とする、請求項８又は９に記載の減衰層。
【請求項１１】
前記テキスタイルの一方側にある連続するループの間に、前記テキスタイルの他方側にある連続するループの間におけるよりも多い発泡されない横糸があることを特徴とする、請求項１０に記載の減衰層。
【請求項１２】
前記発泡された合成ヤーンが、ポリエチレンまたはポリプロピレンからなることを特徴とする、請求項８から１１のいずれか一項に記載の減衰層。
【請求項１３】
前記合成ヤーンが、それらを、具体的には１００℃を超える、好ましくは１５０℃を超える、より好ましくは略２００℃の温度まで加熱することによって発泡されることを特徴とする、請求項８から１２のいずれか一項に記載の減衰層。
【請求項１４】
前記発泡された合成ヤーンのいくつかが、他の発泡された合成ヤーンとは異なる特性を有することを特徴とする、請求項８から１３のいずれか一項に記載の減衰層。
【請求項１５】
硬表面とカーペットの間の下敷きとしての、請求項８から１４のいずれか一項に記載の減衰層の使用。
【請求項１６】
前記カーペットが、人工芝ピッチであることを特徴とする、請求項１５に記載の減衰層の使用。
【請求項１７】
前記減衰層が、バッキングとして前記カーペットの裏側に取り付けられることを特徴とする、請求項１５又は１６に記載の減衰層の使用。
【請求項１８】
カーペットのタフティングのためのサブストレートとしての、請求項９から１６のいずれか一項に記載の減衰層の使用。
【請求項１９】
請求項１から７のいずれか一項の方法により製造されるテキスタイル。
【請求項２０】
前記発泡された合成ヤーンのループが、平らなストリップである、請求項１９に記載のテキスタイル。
【請求項２１】
前記発泡された合成ヤーンのループが、開いたアーチである、請求項１９又は２０に記載のテキスタイル。
【請求項２２】
隣り合った発泡された合成ヤーンのループが、互いに係合する、請求項１９から２１のいずれか一項に記載のテキスタイル。
【発明の詳細な説明】
【技術分野】
【０００１】
本発明は、減衰層を形成する方法に関する。
【背景技術】
【０００２】
そうした減衰層の多くの異なる形態が知られており、例えばカーペットの下に下敷きとしてしばしば使用されている。既知の減衰層は、しばしば、パネル、タイル、またはロールのストリップの形態で入手可能である、プラスチック発泡体で作られている。カーペットの下での減衰層の使用は、使用者の快適さを向上させる。さらに、そうした層は、しばしば、断熱効果と防音効果の両方を有し、そのことも使用者にとっては好ましい。減衰層が人工芝ピッチの下に使用される場合、このようにして形成される人工芝ピッチの性状が向上され得る。
【０００３】
モノリシック（ｍｏｎｏｌｉｔｈｉｃ）プラスチック発泡体を使用して形成される既存の減衰層は、比較的かさばるという欠点を有する。さらに、プラスチック発泡体の機械的特性、特に引っ張り強さは、中程度である。したがって、発泡体が荷重を受けた結果、かなりすぐにクラッキングが発生することがあり、それが減衰作用の局所的消失の原因となることがある。
【発明の概要】
【０００４】
減衰層を形成する代替方法の提供が望まれている。  
本発明によれば、多数のヤーンは、テキスタイルを形成するように組み合わされる。ヤーンのうちの少なくともいくつかは、発泡された合成ヤーンである。したがって、そうしたテキスタイルは、発泡された合成ヤーン以外のヤーンも部分的に含み、比較的強くて軽く、したがって、発泡材料のより効果的な使用につながる可能性がある。
【０００５】
本発明の好ましい一実施形態では、ヤーンは、まず、互いに結びつけられ、その後、合成ヤーンの少なくともいくつかが発泡される。したがって、合成ヤーンは発泡の後よりも前のほうがより簡単に取り扱われ得るので、テキスタイルは、従来手段を使用して形成され得る。さらに、テキスタイルは、体積が依然として比較的小さいので、合成ヤーンが発泡されない限り簡単なやり方で輸送され得る。
【０００６】
好ましくは、ヤーンは、織るための手段によって互いに結びつけられる。織物は、比較的軽くて強く、様々な方向における良好な特性を有するように構築され得る。
【０００７】
発泡される合成ヤーンがプラスチックストリップの形態でテキスタイルに組み入れられる場合、多数のプラスチック発泡体は、比較的簡単なやり方で作り出され得る。具体的には、発泡される材料は、ロールから供給されてよく、前記織機に入る前にストリップに切断され、ファブリックに織られ得る。この文脈において、ストリップへの言及は、その厚さよりも大きな幅を有する平らなテープ様構造を示すことを目的としている。これは、未発泡状態を指すことができ、発泡された後、ストリップは他の形状をとることができると理解されよう。
【０００８】
一実施形態では、発泡された合成ヤーンの方向における強度を提供するために、少なくとも１つの発泡されないヤーンが、隣り合った発泡される合成ヤーンの間に配置され得ることが好ましい。  
さらなる一実施形態では、隣り合った発泡可能な合成ヤーンが発泡後に互いに接触するように、十分な発泡されないヤーンが、隣り合った発泡可能な合成ヤーンの間に配置され得る。このやり方では、追加の結合が、隣り合った発泡された合成ヤーンの間のプラスチック発泡体において作り出され得る。その結果、結果的に得られる減衰層は、荷重により良く耐えることができるようになる。というのも、隣り合った発泡された合成ヤーンは、互いに支え合うことができ、さらには、一緒に結びつけられ得るからである。
【０００９】
最も好ましい一実施形態では、発泡される合成ヤーンは、縦糸として、発泡されないヤーンからなる横糸と織り合わされ、各々の場合において、各発泡される縦糸が、いくつかの発泡されない横糸を捕えるおよび／またはとばす（ｄｒｏｐ）ことができる。したがって、プラスチック発泡体の比較的大きなループがファブリックに形成される。それらのアーチ状形状の結果、プラスチック発泡体のループは、非常に高い弾力および／または減衰を提供することができる。ループは、圧縮におけるそれらの材料特性によって減衰を提供するだけでなく、それらの形状の結果として、すなわちアーチまたはループの屈曲力によっても減衰を提供する。この文脈において、ループへの言及は、ファブリックから直立する発泡された材料のアーチに言及することを目的としている。最も好ましくは、発泡された合成ヤーンのループは、開いたアーチ、すなわちアーチの下に開口を形成する、または別の方法でループとファブリックの残りの部分との間に空間を有する。そうした構造は、排水特性などに関して特に有利であり得る。
【００１０】
各々の場合において、各発泡される縦糸が、それがとばす横糸とは異なる数の発泡されない横糸を捕える場合、異なる寸法のループが、テキスタイルの両側に作り出される。したがって、例えば、テキスタイルが安定したやり方で表面に配置され得るように、テキスタイルの裏側に比較的小さいループが形成され、その一方で、テキスタイルの表側のループは、より良い弾力および／または減衰を提供するためにより大きくてよい。  
発泡される合成ヤーンは、ポリエチレンまたはポリプロピレンを備えることができることが好ましい。これらは、容易に発泡され、さらに、層の耐用年数の終わりに、容易に再使用され得るプラスチックである。  
合成ヤーンは、それらを、少なくとも１００℃、好ましくは少なくとも１５０℃、より好ましくは２００℃程度の温度まで加熱することによって、簡単に発泡され得る。  
好ましくは、発泡された合成ヤーンまたは発泡される合成ヤーンのいくつかは、他の発泡された合成ヤーンまたは発泡される合成ヤーンとは異なる特性を有する。このように、層の特徴は、予期される使用に応じて、その表面全体にわたって変えられ得るまたは調節され得る。
【００１１】
本発明は、さらに、上述された方法のいずれかによって作製され得るテキスタイルに関する。この目的のため、本発明は、多数の互いに結びつけられたヤーンによって形成されたテキスタイルを備え、ヤーンの少なくともいくつかが発泡された合成ヤーンである、減衰層を提供する。このタイプの従来の層と比較すると、そうした減衰層は、上述された利点を有する。好ましくは、テキスタイルから直立する、発泡された合成ヤーンのループを備えるテキスタイルが提供される。減衰層が参照されているが、層は弾性特性も有すると理解されよう。層の減衰または弾力の程度は、発泡された合成ヤーンの性質、それらの構造、およびやはりまた層の他の構成要素に応じて決まる。
【００１２】
特に好ましい一実施形態では、隣り合った発泡された合成ヤーンのループは、互いに係合することができ、追加の支持を提供し、さらには、発泡プロセスの間に互いに結合され得る。  
減衰層の好ましい実施形態は、従属請求項１３から２２の主題を形成している。
【００１３】
本発明は、さらに、上述された種類の減衰層の使用に関する。本発明の１つの態様によれば、減衰層は、硬表面とカーペットの間の下敷きとして使用される。その結果、快適な床敷物が形成される。この場合、減衰層は、発泡可能繊維から遠ざかるようなパイルまたは直立した繊維なしに提供され得る。  
そうした一実施形態では、カーペットは、有利には、人工芝ピッチであり得る。特許請求される減衰層を人工芝ピッチの下に使用することによって、このやり方で形成された人工芝ピッチは、その上においてより有利にプレイされ得るようになる。  
ある用途では、減衰層がバッキングとしてカーペットの裏側に取り付けられる場合、有利となり得る。
【００１４】
本発明の他の態様によれば、減衰層は、カーペットまたはピッチのタフティングのためのサブストレートとして使用され得る。したがって、この場合、カーペットのパイルまたは人工芝ピッチのブレードを形成するようなヤーンは、タフト針によって、減衰層にある開口または空間内に取り付けられ得る。その場合、ブレードまたはパイルは、発泡された合成ヤーンによって形成された直立したループの間にそれを越えるように直立することができる。  
次に、本発明は、添付の図面を参照して、いくつかの例によって説明される。
【図面の簡単な説明】
【００１５】
【図１】本発明による方法のステージの線図。
【図２】本発明の第１の実施形態による、縦糸として織物に織り込まれる発泡されるプラスチックのストリップを備える織物の斜視図。
【図３】プラスチックストリップが発泡された後の、図２からのファブリックの斜視図。
【図４】発泡後の、図２および図３からのファブリックの上面図。
【図５】発泡後の、前記ファブリックの底面図。
【図６】発泡される細いプラスチックストリップを備える織物の他の実施形態の上面図。
【図７】発泡後の、図６のものに対応する図。
【図８】図６および図７からのファブリックの斜視図。
【図９】カーペットと硬表面との間に使用されるときの、図２〜図５からのファブリックの概略断面図。
【図１０】サブストレートとして使用されるときの、図６〜図８からのファブリックの図９からのものに対応する図。
【発明を実施するための形態】
【００１６】
本発明の一実施形態による減衰層１０の形成方法は、第１組の（合成）ヤーン１１（ボックス１）を供給するステージと、第２組の合成ヤーン１２（ボックス２）を供給するステージとを備える。この場合、第２組の合成ヤーン１２は、発泡に適している。これらの合成ヤーン１２の材料としては、ポリプロピレンまたはポリエチレンが考えられ得る。発泡されないヤーン１１に適した材料は、ポリプロピレンだけでなく、例えば、ジュート、ポリエステル、ファイバーグラス、綿およびセルロースである。  
それに続くステージ（ボックス３）では、テキスタイル１３を形成するように、発泡されないヤーン１１と発泡される合成ヤーン１２が互いに結びつけられる。この結びつけは、例えば織り技術によってなされてよく、その場合、横糸Ｉは発泡されないヤーン１１によって形成され、発泡される合成ヤーン１２は、縦糸Ｋとして横糸の間を通って供給される。
【００１７】
テキスタイル１３が形成された後、発泡される合成ヤーン１２は、実際、それに続くステージ（ボックス４）で発泡され得る。これは、例えば、これらの合成ヤーン１２を比較的高い温度、例えば２００℃程度に加熱することによってなされ得る。もちろん、発泡されないヤーン１１は、合成ヤーンにおいて発泡剤が活性化されるそうした高い温度に耐えることができなければならない。  
発泡される合成ヤーン１２の発泡は、テキスタイル１３が織られる場所で行われ得るが、合成ヤーン１２がまだ発泡されておらずこの時点ではかなりの広さの空間をまだ占めていない状態で、テキスタイル１３が、まず、最終的な使用場所に輸送（ボックス５）されることも考えられる。この場所において、次いで、発泡される合成ヤーン１２が、例えばやはり加熱によって発泡され得る。
【００１８】
図２には、織物１３の一例が示されており、そこにおいて、発泡されないヤーン１１からなる横糸Ｉが、同じく発泡されないヤーン１１からなる多数の縦糸Ｋ１および発泡される合成ヤーン１２からなるより少ない数の縦糸Ｋ２と織り合わされている。この場合、発泡される縦糸Ｋ２は、プラスチックのストリップ１２１の形態である。図面に見られるように、各々の場合において、発泡されないヤーン１１からなるいくつかの縦糸Ｋ１は、発泡されるプラスチックの隣り合った２本のストリップ１２１の間に配置され、その結果、それらは、発泡後、ストリップ１２１の体積が徐々に増加されるとき、互いに接触されるが、互いに完全に一緒になるとは限らない。その結果、良好な排水特性を有する、非常に粗いテキスタイル１３が作り出される。その一方で、隣り合ったストリップ１２１はすべて互いに結びつけられるので、テキスタイル１３は、良好な安定性を提供する。
【００１９】
さらに、図２は、発泡されるプラスチックの各ストリップ１２１が、各々の場合において、３本組みの横糸１１３を捕え、その次に３本組みの横糸１１３の３つをとばすことを示している。この捕えられる横糸の数ととばされる横糸の数の違いの結果、図３、４および図５を比較することによって見られるように、発泡後、異なる寸法のループＬB、ＬOが、ファブリック１３の両側に作り出される。図３にやはりまた見られるように、ループＬBは、開口がループとファブリック１３の残りの部分との間に形成されるかたちの、直立した開いたアーチ形状を有する。
【００２０】
本発明の他の実施形態では、発泡されるプラスチックのストリップ１２１は、全面的に変わらないパターン（図６）で織り合わされる。この場合、縦糸としての各ストリップ１２１は、各々の場合において、それがとばす横糸と同じ数の横糸を捕える。その結果、発泡後に同一の寸法の１３個のループＬがテキスタイルの両側に作り出される（図８）。この実施形態では、比較的細いストリップ１２１が使用され、その結果、発泡後に作り出されるテキスタイル１３は、ループＬの比較的細かいグリッドを有するようになる。
【００２１】
図示の例では、発泡されるストリップは、テキスタイル全体にわたって均等に分配され、さらに同じ材料で作られているが、発泡される合成ヤーンの分配もそれらの形状、タイプおよび特徴も変えることができる。合成ヤーンは、様々な異なる形状に押し出し成形され得る。密度が比較的高いタイプのプラスチックと比較的低いタイプのプラスチックが使用されてもよい。したがって、テキスタイルに異なる特徴を有するゾーンを形成することが可能である。さらに、発泡されないヤーンの分配および特徴も変えることができる。したがって、テキスタイルが著しい荷重にさらされると予想される場所には、より多くの発泡されないヤーンが配置される、またはより太いもしくはより大きな引っ張り強さを有するヤーンが配置される。さらに、上記の例は、発泡材料のループが縦糸において形成されるかたちの織物を例示しているが、本発明はそうした構成に限定されない。
【００２２】
上述されたように、織られた発泡体を使用することによって形成される減衰層１０は、硬表面１５とカーペット１６の間の下敷きとして使用され得る（図９）。この場合、減衰層１０は、カーペット１６の裏面１７にバッキングとして取り付けられ得るが、カーペット１６が減衰層１０上に別に置かれてもよい。カーペット１６は、床敷物または例えば人工芝ピッチを形成することができる。減衰層１０は、やはりまた、寄木張りの床または貼り合わせの床など、硬いタイプのフローリングの下に使用されてもよい。  
減衰層１０は、異なるやり方で、人工芝ピッチ１８を形成するのに使用されてもよい。例えば、人工芝のブレードの形態の合成ファイバ１９がテキスタイル１３の開口内にタフティングされてもよい（図１０）。  
減衰層１０の他の可能性のある用途は、例えば、排水マット、通気マット、ヨガマットおよびビーチマットなどである。そうした層の工業的利用には、使用される発泡体が十分に堅いならば、屋根カバーリング、壁カバーリング、場合によっては、別個に使用され得る間仕切壁がある。
【００２３】
本発明は一例として上記に説明されているが、本発明はそれらに限定されないことは明白である。したがって、すでにストリップまたはヤーンの形態に予め発泡されているプラスチックをテキスタイルに組み入れることも可能である。その結果、合成ヤーンがテキスタイルと結びつけられた後にそれを発泡させる追加のステージが省かれる。この場合、発泡体は、ロールから織機に供給され、前記織機に入る前にストリップに切断され、次いでファブリックに織られ得る。ついでながら、発泡材料のストリップもこのやり方で形成されてよい。その場合、方法は、同様のやり方で実施され得るが、その結果得られる製品はよりかさばるものとなり、したがって、まだ発泡されていない合成ヤーンを備えるテキスタイルよりも輸送が難しい。
【００２４】
本発明の範囲は、以下の特許請求の範囲によってのみ決定される。
以下に、出願当初の特許請求の範囲に記載の事項をそのまま付記しておく。
［請求項１］
テキスタイルを形成するように多数のヤーンを結びつけることによって減衰層を形成する方法であって、前記ヤーンの少なくともいくつかが発泡された合成ヤーンである、方法。
［請求項２］
前記ヤーンが、まず、互いに結びつけられ、その後、前記合成ヤーンの少なくともいくつかが発泡されることを特徴とする、請求項１に記載の方法。
［請求項３］
前記ヤーンが、織るための手段によって互いに結びつけられることを特徴とする、請求項２記載の方法。
［請求項４］
前記発泡される合成ヤーンが、プラスチックストリップの形態で前記テキスタイルに組み入れられることを特徴とする、請求項２または３に記載の方法。
［請求項５］
各々の場合において、少なくとも１つの発泡されないヤーンが、隣り合った発泡される合成ヤーンの間に配置されることを特徴とする、請求項２から４のいずれか一項に記載の方法。
［請求項６］
十分な発泡されないヤーンが、隣り合った発泡された合成ヤーンが発泡後に互いにちょうど接触するように、前記隣り合った発泡される合成ヤーンの間に配置されることを特徴とする、請求項５に記載の方法。
［請求項７］
前記発泡される合成ヤーンが、縦糸として、発泡されないヤーンからなる横糸と織り合わされ、各発泡される縦糸が、いくつかの発泡されない横糸を交互に捕えたりとばしたりすることを特徴とする、請求項３から６のいずれか一項に記載の方法。
［請求項８］
各発泡される縦糸が、それがとばす横糸とは異なる数の発泡されない横糸を交互に捕えることを特徴とする、請求項７に記載の方法。
［請求項９］
前記発泡されたまたは発泡される合成ヤーンが、ポリエチレンまたはポリプロピレンを備えることを特徴とする、請求項１から８のいずれか一項に記載の方法。
［請求項１０］
前記合成ヤーンが、それらを、具体的には少なくとも１００℃、好ましくは少なくとも１５０℃、より好ましくは２００℃程度の温度まで加熱することによって発泡されることを特徴とする、請求項２から９のいずれか一項に記載の方法。
［請求項１１］
前記発泡されたまたは発泡される合成ヤーンのいくつかが、他の発泡されたまたは発泡される合成ヤーンとは異なる特性を有することを特徴とする、請求項１から１０のいずれか一項に記載の方法。
［請求項１２］
多数の互いに結びつけられたヤーンによって形成されたテキスタイルを備え、前記ヤーンの少なくともいくつかが発泡された合成ヤーンである、減衰層。
［請求項１３］
前記テキスタイルが、まず、前記ヤーンを互いに結びつけ、次いで、前記合成ヤーンの少なくともいくつかを発泡させることによって形成されることを特徴とする、請求項１２に記載の減衰層。
［請求項１４］
前記テキスタイルが、織物であることを特徴とする、請求項１３に記載の減衰層。
［請求項１５］
前記テキスタイルが、発泡されるプラスチックストリップを備えることを特徴とする、請求項１３または１４に記載の減衰層。
［請求項１６］
隣り合った発泡された合成ヤーンの間に配置される発泡されないヤーンを特徴とする、請求項１３から１５のいずれか一項に記載の減衰層。
［請求項１７］
前記隣り合った発泡された合成ヤーンが、ほんの少しだけしか接触しないことを特徴とする、請求項１６に記載の減衰層。
［請求項１８］
前記発泡された合成ヤーンが縦糸であり、前記発泡されないヤーンが横糸であり、各発泡される縦糸が、前記テキスタイルの両側にループを形成し、各々の場合において、いくつかの発泡されない横糸が、連続するループの間に配置されることを特徴とする、請求項１４から１７のいずれか一項に記載の減衰層。
［請求項１９］
前記テキスタイルの一方側にある連続するループの間に、前記テキスタイルの他方側にある連続するループの間におけるよりも多い発泡されない横糸があることを特徴とする、請求項１８に記載の減衰層。
［請求項２０］
前記発泡された合成ヤーンが、ポリエチレンまたはポリプロピレンを備えることを特徴とする、請求項１２から１９のいずれか一項に記載の減衰層。
［請求項２１］
前記合成ヤーンが、それらを、具体的には１００℃を超える、好ましくは１５０℃を超える、より好ましくは２００℃程度の温度まで加熱することによって発泡されることを特徴とする、請求項１３から２０のいずれか一項に記載の減衰層。
［請求項２２］
前記発泡された合成ヤーンのいくつかが、他の発泡された合成ヤーンとは異なる特性を有することを特徴とする、請求項１２から２１のいずれか一項に記載の減衰層。
［請求項２３］
硬表面とカーペットの間の下敷きとしての、請求項１２から２２のいずれか一項による減衰層の使用。
［請求項２４］
前記カーペットが、人工芝ピッチであることを特徴とする、請求項２３に記載の使用。
［請求項２５］
前記減衰層が、バッキングとして前記カーペットの裏側に取り付けられることを特徴とする、請求項２３または２４に記載の使用。
［請求項２６］
カーペットのタフティングのためのサブストレートとしての、請求項１２から２２のいずれか一項に記載の減衰層の使用。
［請求項２７］
請求項１から１１のいずれか一項の方法により製造されるテキスタイルであって、前記テキスタイルから直立する、発泡された合成ヤーンのループを備える、テキスタイル。
［請求項２８］
前記発泡された合成ヤーンのループが、平らなストリップである、請求項２７に記載のテキスタイル。
［請求項２９］
前記発泡された合成ヤーンのループが、開いたアーチである、請求項２７または２８に記載のテキスタイル。
［請求項３０］
隣り合った発泡された合成ヤーンのループが、互いに係合する、請求項２７から２９のいずれか一項に記載のテキスタイル。
【図１】
0006430395.tif 000002
【図２】
0006430395.tif 000003
【図３】
0006430395.tif 000004
【図４】
0006430395.tif 000005
【図５】
0006430395.tif 000006
【図６】
0006430395.tif 000007
【図７】
0006430395.tif 000008
【図８】
0006430395.tif 000009
【図９】
0006430395.tif 000010
【図１０】
0006430395.tif 000011